(57)【要約】【課題】注入速度が経時変化する複雑な薬液の注入作業を簡単な入力操作で実現できる薬液注入装置を提供する。【解決手段】薬液の注入速度が縦軸で注入時間が横軸の方眼画面を表示出力し、そこに薬液の注入時間ごとの注入速度からなる注入グラフが入力操作されると、その注入グラフと経過時間に対応して注入実行手段をリアルタイムに動作制御するので、薬液の注入速度を所望により経過変化させることができる。【選択図】  図１
2004298549.tif 000002
【特許請求の範囲】
【請求項１】
被験者に薬液を注入する薬液注入装置であって、
前記薬液の注入を実行する注入実行手段と、
前記薬液の注入速度が縦軸で注入時間が横軸の方眼画面を表示出力する画面表示手段と、
前記薬液の注入時間ごとの注入速度からなる注入グラフの前記方眼画面への入力操作を受け付けるグラフ入力手段と、
入力操作された前記注入グラフをデータ記憶するグラフ記憶手段と、
データ記憶された前記注入グラフを前記方眼画面に画像表示するグラフ表示手段と、
少なくとも前記薬液の注入開始からの経過時間を計測する時間計測手段と、
計測される前記経過時間とデータ記憶された前記注入グラフとに対応して前記注入実行手段をリアルタイムに動作制御する注入制御手段と、
を有している薬液注入装置。
【請求項２】
被験者に薬液を注入する薬液注入装置であって、
前記薬液の注入を実行する注入実行手段と、
前記薬液の注入容量が縦軸で注入時間が横軸の方眼画面を表示出力する画面表示手段と、
前記薬液の注入時間ごとの注入容量からなる注入グラフの前記方眼画面への入力操作を受け付けるグラフ入力手段と、
入力操作された前記注入グラフをデータ記憶するグラフ記憶手段と、
データ記憶された前記注入グラフを前記方眼画面に画像表示するグラフ表示手段と、
少なくとも前記薬液の注入開始からの経過時間を計測する時間計測手段と、
計測される前記経過時間とデータ記憶された前記注入グラフとに対応して前記注入実行手段をリアルタイムに動作制御する注入制御手段と、
を有している薬液注入装置。
【請求項３】
被験者に薬液を注入する薬液注入装置であって、
前記薬液の注入を実行する注入実行手段と、
前記薬液の注入速度が縦軸で注入容量が横軸の方眼画面を表示出力する画面表示手段と、
前記薬液の注入容量ごとの注入速度からなる注入グラフの前記方眼画面への入力操作を受け付けるグラフ入力手段と、
入力操作された前記注入グラフをデータ記憶するグラフ記憶手段と、
データ記憶された前記注入グラフを前記方眼画面に画像表示するグラフ表示手段と、
少なくとも前記薬液の注入開始からの注入容量を検出する容量検出手段と、
検出される前記注入容量とデータ記憶された前記注入グラフとに対応して前記注入実行手段をリアルタイムに動作制御する注入制御手段と、
を有している薬液注入装置。
【請求項４】
前記注入グラフと前記横軸とで包囲される部分の面積として前記薬液の注入容量を算出する容量算出手段と、
算出された前記注入容量をデータ表示する容量表示手段と、
も有している請求項１に記載の薬液注入装置。
【請求項５】
前記グラフ入力手段は、前記注入グラフとして自由曲線が入力操作され、
前記グラフ表示手段は、前記自由曲線で前記注入グラフを画像表示する請求項１ないし４の何れか一項に記載の薬液注入装置。
【請求項６】
前記グラフ入力手段は、前記注入グラフとして連続する複数の直線が入力操作され、
前記グラフ表示手段は、連続する複数の前記直線で前記注入グラフを画像表示する請求項１ないし４の何れか一項に記載の薬液注入装置。
【請求項７】
前記グラフ入力手段は、前記注入グラフとして連続する複数の直線が入力操作され、
前記注入グラフの複数の前記直線を自由曲線にデータ変換するグラフ変換手段も有しており、
前記グラフ記憶手段は、前記自由曲線にデータ変換された前記注入グラフをデータ記憶し、
前記グラフ表示手段は、前記自由曲線で前記注入グラフを画像表示し、
前記注入制御手段は、前記自由曲線の前記注入グラフに対応して前記注入実行手段を動作制御する請求項１ないし４の何れか一項に記載の薬液注入装置。
【請求項８】
前記グラフ入力手段は、前記注入グラフとして複数の通過ポイントが入力操作され、
複数の前記通過ポイントを順番に結線した複数の直線を前記注入グラフとしてデータ生成するグラフ変換手段も有しており、
前記グラフ記憶手段は、データ生成された前記注入グラフをデータ記憶し、
前記グラフ表示手段は、連続する複数の前記直線で前記注入グラフを画像表示し、
前記注入制御手段は、連続する複数の前記直線の前記注入グラフに対応して前記注入実行手段を動作制御する請求項１ないし４の何れか一項に記載の薬液注入装置。
【請求項９】
前記グラフ入力手段は、前記注入グラフとして複数の通過ポイントが入力操作され、
複数の前記通過ポイントを順番に通過する自由曲線を前記注入グラフとしてデータ生成するグラフ変換手段も有しており、
前記グラフ記憶手段は、データ生成された前記注入グラフをデータ記憶し、
前記グラフ表示手段は、前記自由曲線で前記注入グラフを画像表示し、
前記注入制御手段は、前記自由曲線の前記注入グラフに対応して前記注入実行手段を動作制御する請求項１ないし４の何れか一項に記載の薬液注入装置。
【請求項１０】
前記グラフ入力手段は、前記注入グラフとして複数の矩形領域が入力操作され、
前記グラフ表示手段は、複数の前記矩形領域で前記注入グラフを前記方眼画面に画像表示する請求項１ないし４の何れか一項に記載の薬液注入装置。
【請求項１１】
前記グラフ入力手段は、前記注入グラフとして複数の矩形領域が入力操作され、
前記グラフ表示手段は、複数の前記矩形領域で前記注入グラフを前記方眼画面に画像表示し、
前記容量算出手段は、複数の前記矩形領域ごとの面積として前記薬液の注入容量を算出し、
前記容量表示手段は、算出された前記注入容量を複数の前記矩形領域ごとにデータ表示する請求項４に記載の薬液注入装置。
【請求項１２】
前記グラフ入力手段は、前記矩形領域の上辺の上下移動と右辺の左右移動とが入力操作される請求項１０または１１に記載の薬液注入装置。
【請求項１３】
前記グラフ入力手段は、画像表示された前記注入グラフへの薬液注入の中断時間の挿入も入力操作され、
前記注入制御手段は、前記中断時間には前記注入実行手段を一時停止させる請求項１ないし１２の何れか一項に記載の薬液注入装置。
【請求項１４】
前記中断時間の残存時間を前記注入グラフとともにリアルタイムに前記グラフ表示手段に表示出力させる状況表示手段も有している請求項１３に記載の薬液注入装置。
【請求項１５】
前記注入実行手段の注入状況を前記注入グラフとともにリアルタイムに前記グラフ表示手段に表示出力させる状況表示手段も有している請求項１ないし１４の何れか一項に記載の薬液注入装置。
【請求項１６】
各種データの表示出力と入力操作とを実行するタッチパネルも有しており、
前記画面表示手段が前記タッチパネルに前記方眼画面を表示出力させ、
前記グラフ入力手段が前記タッチパネルへの前記注入グラフの入力操作を受け付け、
前記グラフ表示手段が前記タッチパネルに前記注入グラフを画像表示させる請求項１ないし１５の何れか一項に記載の薬液注入装置。
【請求項１７】
少なくとも前記薬液が充填されているシリンダ部材にピストン部材がスライド自在に挿入されている薬液シリンジを着脱自在に保持する注入ヘッドも有しており、
前記注入実行手段は、前記注入ヘッドに保持された前記薬液シリンジのシリンダ部材とピストン部材とを相対移動させ、
前記タッチパネルは、前記注入ヘッドに並設されている請求項１６に記載の薬液注入装置。
【請求項１８】
人体の複数の身体区分と多数の撮像部位との模式画像を関連させてデータ記憶している画像記憶手段と、複数の前記身体区分の模式画像を前記人体形状に対応して表示出力する区分表示手段と、画像表示された複数の前記身体区分から１つを選択する入力操作を受け付ける区分入力手段と、選択された前記身体区分に対応して少なくとも１つの前記撮像部位の模式画像を表示出力する部位表示手段と、画像表示された前記撮像部位を選定する入力操作を受け付ける部位入力手段と、を有しており、
前記注入実行手段は、透視撮像装置で透視画像が撮像される前記被験者に前記薬液として少なくとも造影剤を注入し、
前記グラフ入力手段は、人体の多数の撮像部位ごとに前記注入グラフが入力操作され、
前記グラフ記憶手段は、前記撮像部位ごとに前記注入グラフをデータ記憶し、
前記注入制御手段は、選定された前記撮像部位の前記注入グラフに対応して前記注入実行手段を動作制御する請求項１ないし１７の何れか一項に記載の薬液注入装置。
【請求項１９】
前記注入実行手段は、前記薬液として造影剤を注入する造影注入機構と生理食塩水を注入する生食注入機構からなり、
前記グラフ入力手段は、前記注入時間を共用する前記造影剤と前記生理食塩水との注入グラフが入力操作され
前記注入制御手段は、前記造影剤と前記生理食塩水との注入グラフに対応して前記造影注入機構と前記生食注入機構とを連動させて動作制御する請求項１ないし１８の何れか一項に記載の薬液注入装置。
【請求項２０】
被験者に注入実行手段で薬液を注入する薬液注入装置の薬液注入方法であって、
前記薬液の注入速度が縦軸で注入時間が横軸の方眼画面を表示出力し、
前記薬液の注入時間ごとの注入速度からなる注入グラフの前記方眼画面への入力操作を受け付け、
入力操作された前記注入グラフをデータ記憶し、
データ記憶された前記注入グラフを前記方眼画面に画像表示し、
少なくとも前記薬液の注入開始からの経過時間を計測し、
計測される前記経過時間とデータ記憶された前記注入グラフとに対応して前記注入実行手段をリアルタイムに動作制御する薬液注入方法。
【請求項２１】
被験者に注入実行手段で薬液を注入する薬液注入装置の薬液注入方法であって、
前記薬液の注入容量が縦軸で注入時間が横軸の方眼画面を表示出力し、
前記薬液の注入時間ごとの注入容量からなる注入グラフの前記方眼画面への入力操作を受け付け、
入力操作された前記注入グラフをデータ記憶し、
データ記憶された前記注入グラフを前記方眼画面に画像表示し、
少なくとも前記薬液の注入開始からの経過時間を計測し、
計測される前記経過時間とデータ記憶された前記注入グラフとに対応して前記注入実行手段をリアルタイムに動作制御する薬液注入方法。
【請求項２２】
被験者に注入実行手段で薬液を注入する薬液注入装置の薬液注入方法であって、
前記薬液の注入速度が縦軸で注入容量が横軸の方眼画面を表示出力し、
前記薬液の注入容量ごとの注入速度からなる注入グラフの前記方眼画面への入力操作を受け付け、
入力操作された前記注入グラフをデータ記憶し、
データ記憶された前記注入グラフを前記方眼画面に画像表示し、
少なくとも前記薬液の注入開始からの注入容量を検出し、
検出される前記注入容量とデータ記憶された前記注入グラフとに対応して前記注入実行手段をリアルタイムに動作制御する薬液注入方法。
【請求項２３】
被験者に注入実行手段で薬液を注入する薬液注入装置のためのコンピュータプログラムであって、
前記薬液の注入速度が縦軸で注入時間が横軸の方眼画面を表示出力すること、
前記薬液の注入時間ごとの注入速度からなる注入グラフの前記方眼画面への入力操作を受け付けること、
入力操作された前記注入グラフをデータ記憶すること、
データ記憶された前記注入グラフを前記方眼画面に画像表示すること、
少なくとも前記薬液の注入開始からの経過時間を計測すること、
計測される前記経過時間とデータ記憶された前記注入グラフとに対応して前記注入実行手段をリアルタイムに動作制御すること、
を前記薬液注入装置に実行させるためのコンピュータプログラム。
【請求項２４】
被験者に注入実行手段で薬液を注入する薬液注入装置のためのコンピュータプログラムであって、
前記薬液の注入容量が縦軸で注入時間が横軸の方眼画面を表示出力すること、
前記薬液の注入時間ごとの注入容量からなる注入グラフの前記方眼画面への入力操作を受け付けること、
入力操作された前記注入グラフをデータ記憶すること、
データ記憶された前記注入グラフを前記方眼画面に画像表示すること、
少なくとも前記薬液の注入開始からの経過時間を計測すること、
計測される前記経過時間とデータ記憶された前記注入グラフとに対応して前記注入実行手段をリアルタイムに動作制御すること、
を前記薬液注入装置に実行させるためのコンピュータプログラム。
【請求項２５】
被験者に注入実行手段で薬液を注入する薬液注入装置のためのコンピュータプログラムであって、
前記薬液の注入速度が縦軸で注入容量が横軸の方眼画面を表示出力すること、
前記薬液の注入容量ごとの注入速度からなる注入グラフの前記方眼画面への入力操作を受け付けること、
入力操作された前記注入グラフをデータ記憶すること、
データ記憶された前記注入グラフを前記方眼画面に画像表示すること、
少なくとも前記薬液の注入開始からの注入容量を検出すること、
検出される前記注入容量とデータ記憶された前記注入グラフとに対応して前記注入実行手段をリアルタイムに動作制御すること、
を前記薬液注入装置に実行させるためのコンピュータプログラム。
【請求項２６】
被験者に注入実行手段で薬液を注入する薬液注入装置のためのコンピュータプログラムがデータ格納されている情報記憶媒体であって、
請求項２３ないし２５の何れか一項に記載のコンピュータプログラムがデータ格納されている情報記憶媒体。
【発明の詳細な説明】
【０００１】
【発明の属する技術分野】
本発明は、被験者に薬液を注入する薬液注入装置に関し、特に、ＣＴ（Ｃｏｍｐｕｔｅｄ  Ｔｏｍｏｇｒａｐｈｙ）スキャナやＭＲＩ（Ｍａｇｎｅｔｉｃ  Ｒｅｓｏｎａｎｃｅ  Ｉｍａｇｉｎｇ）装置やＰＥＴ（Ｐｏｓｉｔｒｏｎ  Ｅｍｉｓｓｉｏｎ  Ｔｏｍｏｇｒａｐｈｙ）装置などの透視撮像装置で透視画像が撮像される被験者に造影剤を注入する薬液注入装置に関する。
【０００２】
【従来の技術】
現在、被験者の透視画像を撮像する透視撮像装置としては、ＣＴスキャナ、ＭＲＩ装置、ＰＥＴ装置、超音波診断装置、ＣＴアンギオ装置、ＭＲアンギオ装置、等がある。上述のような装置を使用するとき、被験者に造影剤や生理食塩水などの薬液を注入することがあり、この注入を自動的に実行する薬液注入装置も実用化されている。
【０００３】
このような薬液注入装置は、例えば、駆動モータやスライダ機構を有しており、薬液シリンジが着脱自在に装着される。その薬液シリンジはシリンダ部材にピストン部材がスライド自在に挿入された構造からなり、そのシリンダ部材に造影剤や生理食塩水が充填される。
【０００４】
このような薬液シリンジを延長チューブで被験者に連結して注入実行手段に装着すると、薬液注入装置は、注入実行手段でピストン部材とシリンダ部材とを個別に保持して相対移動させるので、薬液シリンジから被験者に造影剤が注入される。
【０００５】
その場合、作業者が各種条件を考慮して造影剤の注入速度や注入容量などを決定し、それを薬液注入装置に数値入力すると、この薬液注入装置は入力数値に対応した速度や容量で造影剤を被験者に注入する。この造影剤の注入により被験者の造影度が変化するので、透視撮像装置により良好な透視画像が撮像されることになる。
【０００６】
なお、薬液注入装置には造影剤とともに生理食塩水も被験者に注入できる製品があり、その場合、作業者は所望により造影剤の注入完了に連動して生理食塩水を注入することを注入速度や注入容量などとともに薬液注入装置にデータ入力する。
【０００７】
すると、この薬液注入装置は、被験者に入力データに対応して造影剤を注入してから、自動的に生理食塩水も注入する。このため、造影剤を生理食塩水で後押しして造影剤の消費量を削減することや、生理食塩水によりアーチファクトを軽減することができる。
【０００８】
なお、上述のような薬液注入装置は、本出願人などにより過去に発明されて出願されている（例えば、特許文献１，２参照）。
【０００９】
【特許文献１】
特開２００２−１１０９６号  （第２−３頁、第１１−１４図）
【特許文献２】
特開２００２−１０２３４３号  （第２−３頁、第８図）
【００１０】
【発明が解決しようとする課題】
上述のような薬液注入装置では、透視撮像装置が良好な透視画像を撮像できる状態に被験者の造影度を変化させるため、被験者に造影剤を注入することができる。
【００１１】
しかし、実際に薬液注入装置でＣＴ用の造影剤を被験者に注入しながら、その造影度であるＣＴ値の経時変化を測定したところ、注入速度が一定でもＣＴ値は一定とならず非線形に上昇してから下降し、最適値となる時間はわずかであることが判明した。
【００１２】
このため、数値入力された一定の速度で造影剤を注入する従来の薬液注入装置では、透視撮像装置で最適な撮像条件を提供することが困難である。これを解決するためには、造影剤の注入速度を経時的に可変する必要があり、例えば、一連の薬液注入を複数のフェーズに分割し、そのフェーズごとに注入速度と注入時間を数値設定する製品がある。
【００１３】
しかし、実際には経時的に変化する注入速度を数値入力でデータ設定することは作業が煩雑であり、データ設定した複数のフェーズごとの注入速度と注入時間との設定数値をデータ表示させても、その注入速度の経時変化を直感的に理解することが困難である。
【００１４】
このため、その作業が煩雑で熟達していない作業者には困難であり、適切でない数値が入力設定されることを防止できない。しかも、上述のように複数のフェーズごとに注入速度と注入時間とを数値設定する方式では、非線形に自在に変化する注入速度を設定することはできない。
【００１５】
本発明は上述のような課題に鑑みてなされたものであり、経時的に変化する薬液の注入速度を簡単にデータ設定することができる薬液注入装置を提供することを目的とする。
【００１６】
【課題を解決するための手段】
本発明の第１の薬液注入装置は、注入実行手段、画面表示手段、グラフ入力手段、グラフ記憶手段、グラフ表示手段、時間計測手段、注入制御手段、を有しており、注入実行手段で薬液の注入を実行する。画面表示手段は、薬液の注入速度が縦軸で注入時間が横軸の方眼画面を表示出力し、グラフ入力手段は、薬液の注入時間ごとの注入速度からなる注入グラフの方眼画面への入力操作を受け付ける。グラフ記憶手段は、入力操作された注入グラフをデータ記憶し、グラフ表示手段は、データ記憶された注入グラフを方眼画面に画像表示する。時間計測手段は、少なくとも薬液の注入開始からの経過時間を計測し、注入制御手段は、計測される経過時間とデータ記憶された注入グラフとに対応して注入実行手段をリアルタイムに動作制御する。
【００１７】
従って、本発明の第１の薬液注入装置では、表示出力する方眼画面に薬液の注入時間ごとの注入速度からなる注入グラフが所望により入力操作されると、その注入グラフに対応して薬液の注入速度を経過時間に対応して可変する。
【００１８】
また、本発明の第２の薬液注入装置では、画面表示手段は、薬液の注入容量が縦軸で注入時間が横軸の方眼画面を表示出力し、グラフ入力手段は、薬液の注入時間ごとの注入容量からなる注入グラフの方眼画面への入力操作を受け付ける。注入制御手段は、計測される経過時間とデータ記憶された注入グラフとに対応して注入実行手段をリアルタイムに動作制御するので、薬液の注入容量を経過時間に対応して可変する。
【００１９】
さらに、本発明の第３の薬液注入装置では、時間計測手段に換えて容量検出手段を有しており、画面表示手段は、薬液の注入速度が縦軸で注入容量が横軸の方眼画面を表示出力する。グラフ入力手段は、薬液の注入容量ごとの注入速度からなる注入グラフの方眼画面への入力操作を受け付け、容量検出手段は、少なくとも薬液の注入開始からの注入容量を検出する。注入制御手段は、検出される注入容量とデータ記憶された注入グラフとに対応して注入実行手段をリアルタイムに動作制御するので、薬液の注入速度を注入容量に対応して可変する。
【００２０】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置の内部に実現された所定の機能、これらの組み合わせ、等で良い。
【００２１】
また、本発明で云う各種手段は、個々に独立した存在である必要もなく、複数の手段が１個の装置として形成されていること、ある手段が他の手段の一部であること、ある手段の一部と他の手段の一部とが重複していること、等も可能である。
【００２２】
また、本発明で云うコンピュータ装置とは、コンピュータプログラムをデータ読取して対応する処理動作を実行できるハードウェアであれば良く、例えば、ＣＰＵ（Ｃｅｎｔｒａｌ  Ｐｒｏｃｅｓｓｉｎｇ  Ｕｎｉｔ）を主体として、これに、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、Ｉ／Ｆ（Ｉｎｔｅｒｆａｃｅ）ユニット、等の各種デバイスが接続されたハードウェアなどで良い。
【００２３】
なお、本発明でコンピュータプログラムに対応した各種動作をコンピュータ装置に実行させることは、各種デバイスをコンピュータ装置に動作制御させることなども意味している。例えば、コンピュータ装置に各種データを記憶させることは、コンピュータ装置に固定されているＲＡＭ等の情報記憶媒体にＣＰＵが各種データを格納すること、コンピュータ装置に交換自在に装填されているＦＤ（Ｆｌｅｘｉｂｌｅ  Ｄｉｓｃ−ｃａｒｔｒｉｄｇｅ）等の情報記憶媒体にＣＰＵがＦＤＤ（ＦＤ  Ｄｒｉｖｅ）で各種データを格納すること、等で良い。
【００２４】
また、本発明で云う情報記憶媒体とは、コンピュータ装置に各種処理を実行させるためのコンピュータプログラムが事前に格納されたハードウェアであれば良く、例えば、コンピュータ装置に固定されているＲＯＭおよびＨＤＤ（Ｈａｒｄ  Ｄｉｓｃ  Ｄｒｉｖｅ）、コンピュータ装置に交換自在に装填されるＣＤ（Ｃｏｍｐａｃｔ  Ｄｉｓｃ）−ＲＯＭおよびＦＤ、等で実施することが可能である。
【００２５】
【発明の実施の形態】
［実施の形態の構成］
本発明の実施の一形態を図面を参照して以下に説明する。本実施の形態の薬液注入装置１００は、図４に示すように、スタンド１０２の上端に装置本体１０３が装着されており、装置本体１０３には、操作パネル１０４、タッチパネル１０５、情報記憶媒体であるＰＣカード１０６のカードドライブ１０７、ライトペン１０８、が搭載されている。この装置本体１０３の側部には可動アーム１０９が装着されており、この可動アーム１０９の上端にシリンジ保持部材である注入ヘッド１１０が装着されている。
【００２６】
この注入ヘッド１１０は、図３に示すように、シリンジ保持部材１１１の上面にシリンジ保持機構として２つの凹部１１２が形成されており、これらの凹部１１２にシリンジ２００のシリンダ部材２０１が個々に着脱自在に保持される。シリンジ２００は、シリンダ部材２０１とピストン部材２０２からなり、シリンダ部材２０１にピストン部材２０２がスライド自在に挿入されている。
【００２７】
注入ヘッド１１０の２つの凹部１１２の後方には、注入実行手段として２個のシリンジ駆動機構１２０が個々に配置されており、これらのシリンジ駆動機構１２０は、凹部１１２に保持されたシリンジ２００のピストン部材２０２を個々に把持してスライドさせる。
【００２８】
シリンジ駆動機構１２０は、超音波モータなどの駆動モータ１２１を駆動源として個々に有しており、ネジ機構（図示せず）などによりピストン部材２０２をスライド移動させる。また、シリンジ駆動機構１２０は、感圧素子であるロードセル１２２も内蔵されており、このロードセル１２２により２個の薬液シリンジ２００のピストン部材２０２が押圧される圧力を個々に検出する。
【００２９】
注入ヘッド１１０の２つの凹部１１２には、薬液として造影剤が充填されている薬液シリンジ２００と、薬液として生理食塩水が充填されている薬液シリンジ２００と、が個々に装着されるので、これら２つの凹部１１２と２個のシリンジ駆動機構１２０により、被験者に造影剤を注入する造影注入機構１２３と生理食塩水を注入する生食注入機構１２４とがシリンジ駆動機構１２０として形成されている。
【００３０】
なお、本形態の薬液注入装置１００は、図５に示すように、透視撮像装置であるＣＴスキャナ３００の近傍に配置され、そのＣＴスキャナ３００で透視画像が撮像される被験者に造影剤および生理食塩水を注入する。ＣＴスキャナ３００は、撮像ユニット３０１と制御ユニット３０２とを有しており、その制御ユニット３０２は本形態の薬液注入装置１００にもオンライン接続される。
【００３１】
図２に示すように、本形態の薬液注入装置１００は、コンピュータユニット１３０を有しており、このコンピュータユニット１３０が、２個のシリンジ駆動機構１２０の駆動モータ１２１と操作パネル１０４とタッチパネル１０５とに接続されている。
【００３２】
コンピュータユニット１３０は、いわゆるワンチップマイコンからなり、ＣＰＵ（Ｃｅｎｔｒａｌ  Ｐｒｏｃｅｓｓｉｎｇ  Ｕｎｉｔ）１３１、ＲＯＭ（Ｒｅａｄ  Ｏｎｌｙ  Ｍｅｍｏｒｙ）１３２、ＲＡＭ（Ｒａｎｄｏｍ  Ａｃｃｅｓｓ  Ｍｅｍｏｒｙ）１３３、Ｉ／Ｆ（Ｉｎｔｅｒｆａｃｅ）１３４、等のハードウェアを有している。コンピュータユニット１３０は、そのＲＯＭ１３２などの情報記憶媒体に適切なコンピュータプログラムがファームウェアなどで実装されており、そのコンピュータプログラムに対応してＣＰＵ１３１が各種の処理動作を実行する。
【００３３】
コンピュータユニット１３０は、上述のように実装されているコンピュータプログラムに対応して動作することにより、図１に示すように、画像記憶手段１４１、区分表示手段１４２、区分入力手段１４３、部位表示手段１４４、部位入力手段１４６、画面表示手段１４７、グラフ入力手段１４８、グラフ記憶手段１４９、グラフ表示手段１５１、容量算出手段１５２、容量表示手段１５３、時間計測手段１５４、注入制御手段１５６、状況表示手段１５７、等の各種手段を各種機能として論理的に有している。
【００３４】
各種記憶手段１４１，１４７は、上述のコンピュータプログラムに対応してＣＰＵ１３１がデータ認識するようにＲＡＭ１３３に構築された記憶エリアなどに相当し、各種表示手段１４２，１４４，…は、ＣＰＵ１３１がＲＡＭ１３３の記憶データをタッチパネル１０５に表示出力させる機能などに相当する。各種入力手段１４３，１４６，…は、ＣＰＵ１３１がタッチパネル１０５への入力操作をデータ認識する機能などに相当し、その他の各種手段１５２，１５６，…等は、ＣＰＵ１３１が所定のデータ処理を実行する機能などに相当する。
【００３５】
画像記憶手段１４１は、人体の複数の身体区分と多数の撮像部位との模式画像を関連させてデータ記憶しており、区分表示手段１４２は、画像記憶手段１４１がデータ記憶している複数の身体区分の模式画像を人体形状に対応して表示出力する。
【００３６】
区分入力手段１４３は、区分表示手段１４２で画像表示された複数の身体区分から１つを選択する入力操作を受け付け、部位表示手段１４４は、区分入力手段１４３で選択された身体区分に対応して少なくとも１つの撮像部位の模式画像を表示出力し、部位入力手段１４６は、部位表示手段１４４で画像表示された撮像部位を選定する入力操作を受け付ける。
【００３７】
より具体的には、本形態の薬液注入装置１００では、複数の身体区分として“頭部、胸部、腹部、脚部”が規定されており、これらの各々に対応した模式画像がＲＯＭ１３２にデータ登録されている。そこで、本形態の薬液注入装置１００に所定操作を実行すると、図６に示すように、“頭部、胸部、腹部、脚部”の模式画像が人体形状に対応してタッチパネル１０５の画面上部に表示出力される。
【００３８】
また、上述の身体区分である“頭部”の模式画像には、複数の撮像部位として“脳部、顎部、首部”等の模式画像が関連されてデータ登録されており、同様に、“胸部”の模式画像には“心臓部、肺部”、“腹部”の模式画像には“胃部、肝臓部、…”、“脚部”の模式画像には“上部、下部”、などの模式画像が関連されてデータ登録されている。
【００３９】
そこで、タッチパネル１０５に人体形状で表示出力された複数の身体範囲の模式画像の１つが手動操作されると、その１つの模式画像のみ上方にスキャナ機構の模式画像が表示出力され、手動操作された１つの模式画像のみが明転するとともに他の模式画像は暗転する。すると、その下部には関連する複数の撮像部位の模式画像が表示出力されるので、その表示出力された複数の撮像部位の模式画像の１つが手動操作されると、その１つの模式画像のみが明転するとともに他の模式画像は暗転する。
【００４０】
画面表示手段１４７は、薬液の注入速度が縦軸で注入時間が横軸の方眼画面を表示出力し、グラフ入力手段１４８は、薬液の注入時間ごとの注入速度からなる注入グラフの方眼画面への入力操作を受け付ける。グラフ記憶手段１４９は、入力操作された注入グラフを対応する撮像部位ごとにデータ記憶し、グラフ表示手段１５１は、データ記憶されている注入グラフを対応する撮像部位ごとに方眼画面に画像表示する。
【００４１】
より詳細には、本形態の薬液注入装置１００では、前述した撮像部位の模式画像が表示出力される位置の下方に方眼画面が表示出力されるので、図７ないし図９に示すように、その方眼画面に造影剤などの注入グラフをライトペン１０８で自由曲線として入力操作することができる。
【００４２】
ただし、前述のように撮像部位が選定された状態で注入グラフの入力操作が実行されると、その注入グラフは撮像部位ごとにデータ登録され、次回からは撮像部位を選定すればデータ登録されている注入グラフが方眼画面に表示出力される。
【００４３】
このようにデータ登録されて表示出力された注入グラフもライトペン１０８の入力操作などで自在に修正することができ、全部を完全に消去してから新規に入力操作することもできる。さらに、製造メーカが薬液注入装置１００の出荷以前に推奨の注入グラフをデフォルト登録しておくことも可能であり、エンドユーザの要望に対応してカスタムの注入グラフをデータ生成してデータ登録することも可能である。
【００４４】
さらに、上述の注入グラフをＲＡＭ１３３などからカードドライブ１０７によりＰＣカード１０６にアップロードすることもでき、ＰＣカード１０６からＲＡＭ１３３などにダウンロードすることもできる。また、詳細には後述するが、本形態の薬液注入装置１００は、被験者に造影剤を注入してから生理食塩水を注入することができるので、図９に示すように、造影剤と生理食塩水との注入グラフを注入時間を共用するように入力操作することができる。
【００４５】
容量算出手段１５２は、注入グラフと横軸とで包囲される部分の面積として薬液の注入容量を算出し、容量表示手段１５３は、算出された注入容量をデータ表示する。より詳細には、図８および図９に示すように、入力操作される注入グラフの両端が横軸に到達すると、その注入グラフと横軸とで包囲された部分の面積から造影剤や生理食塩水の注入容量が算出され、その注入容量が方眼画面の下方に数値表示される。なお、端部が横軸に到達しない形状に注入グラフが入力操作された場合、その端部が横軸まで垂直に延長されるので、そのその注入グラフと横軸とで包囲された部分の面積から注入容量が算出される。
【００４６】
時間計測手段１５４は、薬液の注入開始からの経過時間を計測し、注入制御手段１５６は、計測される経過時間とデータ記憶された注入グラフとに対応してシリンジ駆動機構１２０をリアルタイムに動作制御する。ただし、前述のように注入時間を共用するように造影剤と生理食塩水との注入グラフがデータ登録されていると、注入制御手段１５６は、造影剤と生理食塩水との注入グラフに対応して造影注入機構１２３と生食注入機構１２４とを連動させて動作制御する。
【００４７】
状況表示手段１５７は、図１０に示すように、注入グラフと横軸と垂線とで包囲される部分を反転表示することや、注入総量の数値表示を分数とすることなどにより、造影注入機構１２３と生食注入機構１２４との注入状況をリアルタイムに表示出力する。
【００４８】
上述のような薬液注入装置１００の各種手段は、必要により操作パネル１０４などのハードウェアを利用して実現されるが、その主体はＲＯＭ１３２等の情報記憶媒体に格納されたリソースおよびコンピュータプログラムに対応してハードウェアであるＣＰＵ１３１が機能することにより実現されている。
【００４９】
このようなリソースは、例えば、人体の複数の身体区分の模式画像と多数の撮像部位の模式画像とを関連させたデータファイル、人体の多数の撮像部位ごとの造影／生食注入機構１２３，１２４の注入グラフのデータファイル、等からなる。
【００５０】
また、上述のコンピュータプログラムは、例えば、ＲＡＭ１３３などにデータ登録されている複数の身体区分の模式画像を人体形状に対応してタッチパネル１０５に表示出力させること、その画像表示させた複数の身体区分から１つを選択するタッチパネル１０５への入力操作を受け付けること、その選択された身体区分に対応して少なくとも１つの撮像部位の模式画像を表示出力させること、その画像表示させた撮像部位を選定する入力操作を受け付けること、その選定された撮像部位に対応してデータ登録されている注入グラフを方眼画面とともに画像表示すること、選定された撮像部位に対応する注入グラフがデータ登録されていないと方眼画面を白紙状態で画像表示すること、方眼画面へのライトペン１０８などによる注入グラフの入力操作を受け付けること、入力操作された注入グラフを対応する撮像部位ごとにデータ記憶すること、注入グラフと横軸とで包囲される部分の面積として薬液の注入容量を算出すること、算出された注入容量をデータ表示すること、薬液の注入開始からの経過時間を計測すること、データ記憶されている造影剤と生理食塩水との注入グラフと計測される経過時間とに対応して造影注入機構１２３と生食注入機構１２４とを連動させて動作制御すること、その注入状況をリアルタイムに表示出力すること、等の処理動作をＣＰＵ１３１等に実行させるためのソフトウェアとしてＲＡＭ１３３等の情報記憶媒体に格納されている。
【００５１】
［実施の形態の動作］
上述のような構成において、本形態の薬液注入装置１００を使用する場合、図５に示すように、作業者（図示せず）はＣＴスキャナ３００の撮像ユニット３０１の近傍に薬液注入装置１００を配置し、その撮像ユニット３０１に位置する被験者（図示せず）に、図３に示すように、例えば、二股の延長チューブ２１０で２個の薬液シリンジ２００を連結する。そして、その薬液シリンジ２００のシリンダ部材２０１を注入ヘッド１１０の凹部１１２に保持させ、ピストン部材２０２をシリンジ駆動機構１２０に把持させる。
【００５２】
つぎに、作業者が薬液注入装置１００に作業開始を操作パネル１０４で入力操作すると、図１１に示すように、タッチパネル１０５に初期画面が表示出力される（ステップＳ１）。この初期画面は、図６に示すように、入力手順に対応して上方から下方まで各種の入力項目が配列されており、最上部には複数の身体区分の模式画像が人体形状に対応して表示出力される。
【００５３】
そこで、タッチパネル１０５に画像表示された複数の身体区分の模式画像の１つを作業者が手指で押圧すると（ステップＳ２）、その選択された身体区分の模式画像のみ明転するとともに他の模式画像は暗転し、その選択された身体区分の模式画像の上方にスキャナ機構の模式画像が表示出力される。
【００５４】
同時に、その下部には選択された身体区分に関連する複数の撮像部位の模式画像がデータ読出されて表示出力されるので（ステップＳ３，Ｓ４）、その１つを作業者が手指で押圧すると（ステップＳ５）、その選択された１つの模式画像のみが明転するとともに他の模式画像は暗転する。
【００５５】
上述のように撮像部位が選択されると、本形態の薬液注入装置１００では、その撮像部位に対応した注入グラフがＲＡＭ１３３にデータ登録されているかが確認され（ステップＳ６）、データ登録されている場合は、図９に示すように、その注入グラフが方眼画面に画像表示される（ステップＳ９）。
【００５６】
データ登録されていない場合は、図６に示すように、方眼画面は白紙状態のままとされ、そこに注入グラフを入力操作できる状態となる。例えば、作業者が操作パネル１０７に所定操作を実行すると、薬液注入装置１００は造影剤の注入グラフを入力操作できる状態となる。そこで、図７および図８に示すように、作業者がライトペン１０８でタッチパネル１０５に自由曲線を入力操作すると（ステップＳ７）、これが選択された撮像部位の造影剤の注入グラフとしてデータ登録される（ステップＳ８）。
【００５７】
なお、造影剤を注入してから生理食塩水を注入したい場合、上述の状態から作業者が操作パネル１０７に所定操作を実行すると、薬液注入装置１００は、生理食塩水の注入グラフの入力状態となる。そこで、図９に示すように、作業者がライトペン１０８でタッチパネル１０５に自由曲線を入力操作すると（ステップＳ７）、これが選択された撮像部位の生理食塩水の注入グラフとしてデータ登録される（ステップＳ８）。
【００５８】
このとき、造影剤と生理食塩水との注入グラフは注入時間を共用するので、実際の動作では造影剤が注入されてから生理食塩水が注入されることになる。なお、図９に例示する注入グラフでは、造影剤の注入グラフの終了位置と生理食塩水の注入グラフの開始位置とにインターバルが設定されているので、実際の動作でも造影剤の注入が完了してから所定時間の経過後に生理食塩水の注入が開始されることになる。
【００５９】
上述の注入グラフは自在に入力することができ、例えば、造影剤の注入グラフの終了位置と生理食塩水の注入グラフの開始位置を一致させると、実際の動作では造影剤の注入完了と同時に生理食塩水の注入が開始される。また、造影剤の注入グラフの終了位置より手前に生理食塩水の注入グラフの開始位置を配置すると、実際の動作では造影剤の注入完了の直前に生理食塩水の注入が開始される。
【００６０】
注入グラフが方眼画面に画像表示されると（ステップＳ９）、その注入グラフと横軸とで包囲される部分の面積として造影剤および生理食塩水の注入容量が算出され（ステップＳ１０）、図９に示すように、その注入容量が方眼画面の下方に数値表示される（ステップＳ１１）。
【００６１】
なお、上述のように注入グラフと注入容量が表示出力された状態でも（ステップＳ９〜Ｓ１１）、作業者の所望により注入グラフを修正することができる（ステップＳ１２）。そして、注入グラフを確認した作業者が操作パネル１０４などで注入実行を入力操作すると（ステップＳ１３）、図１２に示すように、注入グラフと計測される経過時間とに対応して造影／生食注入機構１２３，１２４が動作制御される（ステップＳ１４，Ｓ１５）。
【００６２】
このとき、図１０に示すように、造影／生食注入機構１２３，１２４の動作に対応して、注入グラフと横軸と垂線とで包囲される部分が反転表示され、注入を完了した容量が総量との分数で数値表示されるので、これで造影／生食注入機構１２３，１２４の注入状況がリアルタイムに表示出力される（ステップＳ１６）。
【００６３】
なお、上述のような注入動作の実行中に（ステップＳ１４〜Ｓ２１）、その注入圧力などから動作異常が検出されると（ステップＳ１７）、エラー発生がタッチパネル１０５にガイダンス表示され（ステップＳ１８）、注入動作が中止される（ステップＳ２０）。
【００６４】
また、作業者が所望によりタッチパネル１０５などに動作中止を入力操作しても（ステップＳ１９）、注入動作が中止される（ステップＳ２０）。そして、薬液注入装置１００は、設定容量まで造影剤と生理食塩水とを注入すると（ステップＳ２１）、注入動作を終了して初期状態に復帰する（ステップＳ２２）。
【００６５】
［実施の形態の効果］
本形態の薬液注入装置１００では、上述のようにタッチパネル１０５に表示出力する方眼画面に所望の注入グラフがタッチペン１０８で入力操作されると、その注入グラフに対応して薬液の注入速度を経過時間により可変するので、注入速度が経時変化する複雑な薬液の注入作業を簡単な入力操作で実現することができる。
【００６６】
このため、例えば、造影剤による透視画像の造影度が最適値に近似する状態を維持する複雑な注入グラフなども薬液注入装置１００に簡単に入力操作することができるので、ＣＴスキャナ３００に良好な品質で透視画像を撮像させるようなことが可能である。
【００６７】
しかも、タッチパネル１０５にライトペン１０８で注入グラフが入力操作されるので、複雑な自由曲線からなる注入グラフを簡単に入力操作することができる。それでいて、注入グラフと横軸とで包囲される部分の面積として薬液の注入容量が算出されてデータ表示されるので、複雑な注入グラフによる注入容量を簡単に確認することができる。
【００６８】
さらに、本形態の薬液注入装置１００では、人体の撮像部位ごとに注入グラフをデータ登録してデータ読出することができるので、ＣＴスキャナ３００で透視画像が撮像される被験者に撮像部位ごとに最適な注入グラフで薬液を注入することができる。
【００６９】
しかも、タッチパネル１０５に複数の身体区分の模式画像が人体形状で表示出力され、その１つを作業者が所望により手動操作すると対応した複数の撮像部位の模式画像が表示出力され、その１つを作業者が所望により手動操作すれば１つの撮像部位で選定されるので、注入グラフのデータ登録やデータ読出に利用する撮像部位の選定を、簡単な操作で確実に実行することができる。
【００７０】
特に、複数の身体区分の模式画像が人体形状に表示出力されるので、より簡単かつ確実に身体区分を選択することができる。しかも、身体区分と撮像部位との模式画像がタッチパネル１０５に表示出力されて直接に手動操作されるので、その操作を簡単かつ確実に実行することができる。
【００７１】
さらに、本形態の薬液注入装置１００では、造影／生食注入機構１２３，１２４により被験者に造影剤と生理食塩水とが注入されるが、その連動も注入グラフにより自動的に実行されるので、煩雑な操作を必要とすることなく被験者に造影剤と生理食塩水とを適切に連動して注入することができる。また、薬液の注入状況がリアルタイムに表示出力されるので、実行されている薬液の注入状況をリアルタイムに確認することができる。
【００７２】
しかも、本形態の薬液注入装置１００では、入力操作した注入グラフをＰＣカード１０６にアップロードすることができ、ＰＣカード１０６から注入グラフをダウンロードすることもできるので、例えば、作業者や被験者ごとに最適な注入グラフを切り換えるようなこともできる。
【００７３】
［実施の形態の変形例］
本発明は上記形態に限定されるものではなく、その要旨を逸脱しない範囲で各種の変形を許容する。例えば、上記形態ではシリンジ駆動機構１２０として造影／生食注入機構１２３，１２４を有する薬液注入装置１００が造影剤と生理食塩水とを注入することを例示したが、１個のシリンジ駆動機構１２０で造影剤のみを注入する薬液注入装置（図示せず）も実施可能である。
【００７４】
また、上記形態ではタッチパネル１０５で注入グラフの入力操作と画像表示とが同時に実行されることを例示したが、例えば、独立したディスプレイパネルとポインティングデバイスとで注入グラフの入力操作と画像表示とを個別に実行することも可能である（図示せず）。
【００７５】
さらに、上記形態では電子的にデータ登録されている方眼画面がタッチパネル１０５に画像表示されることを例示したが、例えば、方眼画面をタッチパネル１０５の表面の所定位置に塗装などで固定的に形成しておくようなことも可能である。
【００７６】
また、上記形態では注入グラフとして自由曲線が入力操作されることを例示したが、注入グラフとして連続する複数の直線が入力操作されることも可能であり、その複数の直線を自由曲線にデータ変換することも可能である。さらに、注入グラフとして入力操作される複数の通過ポイントを順番に結線して複数の直線にデータ変換することも可能であり、その複数の通過ポイントを順番に通過する自由曲線をデータ生成することも可能である。
【００７７】
さらに、図１３に示すように、注入グラフとして複数の矩形領域が入力操作されることも可能であり、複数の矩形領域ごとの面積として薬液の注入容量を算出することも可能である。なお、このように注入グラフを矩形領域で入力操作する場合、その編集処理は上辺の上下移動と右辺の左右移動とで実行することが好適である。
【００７８】
また、図１４に示すように、画像表示された注入グラフへの薬液注入の中断時間の挿入も入力操作され、その注入グラフに対応してシリンジ駆動機構１２０が動作制御されるときに、中断時間にシリンジ駆動機構１２０を一時停止させることも可能であり、その中断時間の残存時間をリアルタイムに表示出力することも可能である。
【００７９】
さらに、上記形態では薬液の注入速度が縦軸で注入時間が横軸の方眼画面に、注入時間ごとの注入速度からなる注入グラフが入力操作されると、計測される経過時間に対応して薬液の注入速度が可変されることを例示した。しかし、薬液の注入容量が縦軸で注入時間が横軸の方眼画面に、注入時間ごとの注入容量からなる注入グラフの入力操作を受け付け、計測される経過時間に対応して薬液の注入容量を管理することも可能である。
【００８０】
例えば、図１５に例示する注入グラフのように、注入時間が“０〜２０（ｍｉｎ）”のときに注入容量が“０〜２０（ｍｌ）”に線形に変化しているならば、注入開始から“２０（ｍｉｎ）”までは“１．０（ｍｌ／ｍｉｎ）”の注入速度が維持され、注入開始から“２０（ｍｉｎ）”の時点で完了した注入容量が“２０（ｍｌ）”となる。
【００８１】
また、注入時間が“２０〜３０（ｍｉｎ）”のときに注入容量が“２０（ｍｌ）”のままならば、これは“２０〜３０（ｍｉｎ）”のときに薬液の注入が中断されることになる。そして、例示する注入グラフは注入時間が“６０（ｍｉｎ）”で注入容量が“８０（ｍｌ）”の位置に終端が配置されているので、最終的に“８０（ｍｌ）”の薬液が“６０（ｍｉｎ）”で注入されることになる。
【００８２】
また、薬液の注入速度が縦軸で注入容量が横軸の方眼画面に、薬液の注入容量ごとの注入速度からなる注入グラフの方眼画面への入力操作を受け付け、薬液の注入開始からの注入容量を検出し、検出される注入容量に対応して薬液の注入速度を可変させることも可能である。
【００８３】
例えば、図１６に例示する注入グラフのように、注入容量が“０〜２０（ｍｌ）”のときに注入速度が“２．０（ｍｌ／ｍｉｎ）”のままならば、注入開始から“２０（ｍｌ）”の薬液が注入されるまでは“２．０（ｍｌ／ｍｉｎ）”の注入速度が維持され、その“２０（ｍｌ）”の薬液は“１０（ｍｉｎ）”で注入されることになる。
【００８４】
また、注入容量が“２０〜４０（ｍｌ）”のときに“２．０〜０（ｍｌ／ｍｉｎ）”まで変化しているならば、“２０（ｍｌ）”まで注入された薬液が、さらに“１０（ｍｌ）”まで注入される過程で注入速度が“０（ｍｌ／ｍｉｎ）”まで線形に低下されることになる。
【００８５】
さらに、注入容量が“４０（ｍｌ）”のときに“１０（ｍｉｎ）”の中断時間が設定されているので、薬液が“４０（ｍｌ）”まで注入された時点で“１０（ｍｉｎ）”だけ注入が中断されることになる。なお、例示する注入グラフでは、設定される中断時間に対応して横軸に空白区画が挿入されている。
【００８６】
また、上記形態では単純に撮像部位ごとに注入グラフをデータ登録しておき、その注入グラフを撮像部位ごとにデータ読出して薬液注入の動作制御に利用することを例示したが、造影剤などの薬液の最適な注入には撮像部位の選定以外にも各種の条件が存在している。
【００８７】
例えば、実際にＣＴスキャナ３００に対して利用されている造影剤は有効成分であるヨードの濃度が製品ごとに相違しており、撮像される被験者の体重でも撮像条件は相違する。そこで、本出願人が特願２００３−０３９７５６号として出願したように、薬液注入装置に被験者の体重や造影剤の種類も入力操作させ、その入力データに対応して注入グラフを調整することも好適である。
【００８８】
さらに、上記形態では注入グラフにより造影剤と生理食塩水との注入を順番に実行することを例示したが、本出願人が特願２００２−３６３６７５号として出願したように、注入グラフにより造影剤を生理食塩水で希釈しながら注入することも可能である。
【００８９】
また、上記形態では情報記憶媒体であるＰＣカード１０６から薬液注入装置１００に注入グラフをダウンロードできることを例示したが、その情報記憶媒体としては各種製品を使用することが可能である。さらに、薬液注入装置１００が注入グラフをＰＣカード１０６からＲＡＭ１３３に複写せず、装填されたＰＣカード１０６からリアルタイムにデータ読出することも可能である。
【００９０】
また、外部のデータベースサーバに注入グラフをデータ登録しておき、そのデータベースサーバから薬液注入装置１００が注入グラフをオンラインでダウンロードすることも可能である。同様に、薬液注入装置１００の製造メーカのホストコンピュータに注入グラフをデータ登録しておき、その注入グラフを医療現場の薬液注入装置１００にインターネットでダウンロードすることも可能である。
【００９１】
また、上記形態では薬液注入装置１００の注入装置本体１０３の上面にタッチパネル１０５が装着されており、注入装置本体１０３の側部上方に可動アーム１０９で注入ヘッド１１０が装着されていることを例示したが、図１７に示すように、注入ヘッド１１０にタッチパネル１０５を直接に並設することも可能である。
【００９２】
この場合、造影／生食注入機構１２３，１２４の注入グラフをタッチパネル１０５で画像表示するとき、その造影／生食注入機構１２３，１２４とタッチパネル１０５とが隣接しているので、より直接的に薬液の注入グラフを認識することができる。
【００９３】
また、上記形態では説明を簡単とするためにピストン部材２０２の移動速度から造影剤などの注入速度が単純に算出されることを想定したが、実際には現在市販されている薬液シリンジ２００は各種サイズがあり、そのピストン部材２０２の端面の面積も各種である。
【００９４】
そして、造影剤などの注入速度はピストン部材２０２の移動速度と端面面積との両方に依存するので、薬液注入装置１００で各種サイズの薬液シリンジ２００を利用する場合は、その薬液シリンジ２００の種類ごとにピストン部材２０２の端面面積もデータ登録しておき、その薬液シリンジ２００の種類が入力操作されるとピストン部材２０２の端面面積をデータ読出することが好適である。
【００９５】
これを実現するためには薬液シリンジ２００の種類の入力操作が必要となるが、例えば、本出願人が特願２００２−０２１７６２号として出願したように、各種の薬液シリンジ２００が各々に専用のシリンダアダプタ（図示せず）で注入ヘッド１１０に装着されるとき、注入ヘッド１１０がシリンダアダプタ（図示せず）から薬液シリンジ２００および造影剤の識別データを取得すれば、特別な入力操作は無用となる。
【００９６】
また、各種の薬液シリンジ２００の各々にバーコードなどで種類などをデータ付与しておき（図示せず）、そのバーコードなどを注入ヘッド１１０がデータ読取することでも、薬液注入装置１００が薬液シリンジ２００の種類を特定することが可能である。
【００９７】
さらに、上記形態では薬液注入装置１００の薬液注入とＣＴスキャナ３００の画像撮像とが個別に手動操作されて実行されることを想定したが、薬液注入装置１００とＣＴスキャナ３００とが相互通信して各種動作を連動させることも可能である。
【００９８】
その場合、薬液注入装置１００で撮像部位の模式画像が入力操作されると、これに連動してＣＴスキャナ３００に撮像部位をデータ設定するようなことができるので、薬液注入装置１００とともにＣＴスキャナ３００の操作負担も軽減することができる。
【００９９】
さらに、上記形態では透視撮像装置としてＣＴスキャナ３００を使用し、薬液注入装置１００がＣＴ用の造影剤を注入することを例示したが、例えば、透視撮像装置としてＭＲＩ装置やＰＥＴ装置を使用し、それ用の造影剤を薬液注入装置が注入することも可能である。
【０１００】
また、上記形態ではＲＡＭ１３３等に格納されているコンピュータプログラムに対応してＣＰＵ１３１が動作することにより、薬液注入装置１００の各種機能として各種手段が論理的に実現されることを例示した。しかし、このような各種手段の各々を固有のハードウェアとして形成することも可能であり、一部をソフトウェアとしてＲＡＭ１３３等に格納するとともに一部をハードウェアとして形成することも可能である。
【０１０１】
【発明の効果】
本発明の第１の薬液注入装置では、表示出力する方眼画面に薬液の注入時間ごとの注入速度からなる注入グラフが入力操作されると、その注入グラフに対応して薬液の注入速度を経過時間に対応して可変するので、注入速度が経時変化する複雑な薬液の注入作業を簡単な入力操作で実現することができる。
【０１０２】
本発明の第２の薬液注入装置では、表示出力する方眼画面に薬液の注入時間ごとの注入容量からなる注入グラフが入力操作されると、その注入グラフに対応して薬液の注入容量を経過時間に対応して管理するので、注入容量が経時変化する複雑な薬液の注入作業を簡単な入力操作で実現することができる。
【０１０３】
本発明の第３の薬液注入装置では、表示出力する方眼画面に薬液の注入容量ごとの注入速度からなる注入グラフが入力操作されると、その注入グラフに対応して薬液の注入速度を注入容量に対応して可変するので、注入速度が注入容量により変化する複雑な薬液の注入作業を簡単な入力操作で実現することができる。
【図面の簡単な説明】
【図１】本発明の実施の形態の薬液注入装置の論理構造を示す模式的なブロック図である。
【図２】薬液注入装置の回路構造を示すブロック図である。
【図３】薬液注入装置の注入ヘッドに薬液シリンジを装着する状態を示す斜視図である。
【図４】薬液注入装置の外観を示す斜視図である。
【図５】透視画像装置であるＣＴスキャナの外観を示す斜視図である。
【図６】タッチパネルの初期の表示画面を示す模式的な正面図である。
【図７】造影剤の注入グラフが入力操作されている最中の状態を示す模式図である。
【図８】造影剤の注入グラフが入力操作された状態の表示画面を示す模式的な正面図である。
【図９】生理食塩水の注入グラフも入力操作された状態の表示画面を示す模式的な正面図である。
【図１０】注入動作を実行している最中の表示画面を示す模式的な正面図である。
【図１１】薬液注入装置の処理動作の前半部分を示すフローチャートである。
【図１２】後半部分を示すフローチャートである。
【図１３】第１の変形例のタッチパネルの表示画面を示す模式的な正面図である。
【図１４】第２の変形例のタッチパネルの表示画面を示す模式的な正面図である。
【図１５】第３の変形例のタッチパネルの表示画面を示す模式的な正面図である。
【図１６】第４の変形例のタッチパネルの表示画面を示す模式的な正面図である。
【図１７】第５の変形例の注入ヘッドの外観を示す斜視図である。
【符号の説明】
１００    薬液注入装置
１０５    タッチパネル
１２０    シリンジ駆動機構
１２３    造影注入機構
１２４    生食注入機構
１４１    画像記憶手段
１４２    区分表示手段
１４３    区分入力手段
１４４    部位表示手段
１４６    部位入力手段
１４７    画面表示手段
１４８    グラフ入力手段
１４９    グラフ記憶手段
１５１    グラフ表示手段
１５２    容量算出手段
１５３    容量表示手段
１５４    時間計測手段
１５６    注入制御手段
１５７    状況表示手段
２００    薬液シリンジ
２０１    シリンダ部材
２０２    ピストン部材
３００    透視撮像装置であるＣＴスキャナ
【図１】
2004298549.tif 000003
【図２】
2004298549.tif 000004
【図３】
2004298549.tif 000005
【図４】
2004298549.tif 000006
【図５】
2004298549.tif 000007
【図６】
2004298549.tif 000008
【図７】
2004298549.tif 000009
【図８】
2004298549.tif 000010
【図９】
2004298549.tif 000011
【図１０】
2004298549.tif 000012
【図１１】
2004298549.tif 000013
【図１２】
2004298549.tif 000014
【図１３】
2004298549.tif 000015
【図１４】
2004298549.tif 000016
【図１５】
2004298549.tif 000017
【図１６】
2004298549.tif 000018
【図１７】
2004298549.tif 000019